(57)【要約】【課題】  トレーディングカードと切り離して実用的に用いることができ、カードケースを収集する楽しみを味わうことができるカードケースを提供する。【解決手段】  カードケース1は、透明な樹脂シート2の三方が封止された長方形の袋状とされる薄肉のケースであって、ケース表裏の内面には非透光性のインクによる画及び文字の画像が印刷されていると共に正面の所定の位置に方形状の透明窓5を備えるものであり、この透明窓5は、正面の右端部近傍で上下略中央の位置に形成されているものである。【選択図】      図１
0003129308.tif 000002
【実用新案登録請求の範囲】
【請求項１】
透明な樹脂シートの三方が封止された長方形の袋状とされる薄肉のケースであって、
ケース表裏の内面には非透光性のインクによる画及び文字の画像が印刷されていると共に正面の所定の位置に方形状の透明窓を備えることを特徴とするカードケース。
【請求項２】
前記透明窓は、前記正面の右端部近傍で上下略中央の位置に形成されていることを特徴とする請求項１に記載のカードケース。
【請求項３】
外寸が縦５６ｍｍ、横９４ｍｍ、内寸が縦５６ｍｍ、横８７ｍｍに形成されていることを特徴とする請求項１又は請求項２に記載のカードケース。
【請求項４】
前記透明窓の寸法は、縦２９ｍｍ、横２３．５ｍｍであり、
当該透明窓の右辺はカードケースの右端から７ｍｍ、透明窓の下辺はカードケースの下端から１０ｍｍの位置に形成されていることを特徴とする請求項１乃至請求項３のいずれかに記載のカードケース。
【考案の詳細な説明】
【技術分野】
【０００１】
本考案は、透明窓を備えたカードケースに関する。
【背景技術】
【０００２】
近年、子供や収集家の中でトレーディングカードが話題になっている。このトレーディングカードにも複数の種類があり、例えば、スポーツ選手等の有名人の写真や画像が描かれていて収集を楽しむもの、或いは格闘ゲーム又は格闘アニメーションのキャラクターがバーコードと共に描かれていて、このバーコードを専用の機器に読み込ませて描かれたキャラクターを戦わせるもの等がある。
【０００３】
又、このトレーディングカードは収集を楽しむものであり、購入するときにトレーディングカード専用のカードケースが付属しているものがある。このようなトレーディングカード専用のカードケースに関して、例えば、特開２００６−２５８９９号公報（特許文献１）では、隠し絵を有したトレーディングカード専用のカードケースに関しての提案がなされている。この特許文献１に記載のカードケースは、トレーディングカードを収集すると、トレーディングカードに描かれた隠し絵が視認できるようになるものである。
【特許文献１】特開２００６−２５８９９号公報
【考案の開示】
【考案が解決しようとする課題】
【０００４】
従来のカードケースは、トレーディングカードが主役であり、カードケースは付属品でしかなく、トレーディングカードと切り離してカードケース自体を実用的に用いることができるものではなく、カードケースを収集する楽しみは皆無であった。
【０００５】
そこで本考案では、トレーディングカードと切り離して実用的に用いることができ、カードケースを収集する楽しみを味わうことができるカードケースを提供することを目的としている。
【課題を解決するための手段】
【０００６】
本考案のカードケース(1)は、透明な樹脂シート(2)の三方が封止された長方形の袋状とされる薄肉のケースであって、ケース表裏の内面には非透光性のインクによる画及び文字の画像が印刷されていると共に正面の所定の位置に方形状の透明窓(5)を備えるものであり、この透明窓(5)は、正面の右端部近傍で上下略中央の位置に形成されているものである。
【０００７】
又、このカードケース(1)は、外寸が縦５６ｍｍ、横９４ｍｍ、内寸が縦５６ｍｍ、横８７ｍｍに形成され、透明窓(5)の寸法は、縦２９ｍｍ、横２３．５ｍｍであり、当該透明窓(5)の右辺はカードケースの右端から７ｍｍ、透明窓の下辺はカードケースの下端から１０ｍｍの位置に形成されているものである。
【考案の効果】
【０００８】
本考案によれば、トレーディングカードと切り離して実用的に用いることができ、カードケースを収集する楽しみを味わうことができるカードケースを提供することができる。
【考案を実施するための最良の形態】
【０００９】
本考案を実施するための最良の形態のカードケース1は、透明な樹脂シート2の三方が封止された長方形の袋状とされる薄肉のケースであって、ケース表裏の内面には非透光性のインクによる画及び文字の画像が印刷されていると共に正面の所定の位置に方形状の透明窓5を備えるものであり、この透明窓5は、正面の右端部近傍で上下略中央の位置に形成されているものである。
【００１０】
又、このカードケース1は、外寸が縦５６ｍｍ、横９４ｍｍ、内寸が縦５６ｍｍ、横８７ｍｍに形成され、透明窓5の寸法は、縦２９ｍｍ、横２３．５ｍｍであり、当該透明窓5の右辺はカードケースの右端から７ｍｍ、透明窓の下辺はカードケースの下端から１０ｍｍの位置に形成されているものである。
【実施例】
【００１１】
以下、本考案の実施例に関して図に基づいて詳説する。本実施例のカードケース1は、トレーディングカードや運転免許証等のカードを収納するものであり、図１（ａ）に示すように、透明な樹脂シート2の三方が封止された長方形の袋状とされる薄肉のケースであって、ケース表裏の内面には非透光性のインクによる画及び文字の画像が印刷されていると共に正面の所定の位置に方形状の透明窓5を備えているものである。
【００１２】
又、このカードケース1は、長方形状の樹脂シート2を長手方向の中央の位置で折り曲げ、この折り曲げ線と対向する辺は開口6とし、この開口6とした辺と折り曲げ線の両側端を繋ぐ辺の縁部7を熱圧着することで貼り合わせて三方を封止するように形成したものである。
【００１３】
そして、カードケース1のサイズは、クレジットカードサイズのカードを収納できる大きさに形成されており、外寸が縦５６ｍｍ、横９４ｍｍ、内寸が縦５６ｍｍ、横８７ｍｍに形成されているものである。尚、クレジットカードサイズは一般的に縦５５ｍｍ、横８６ｍｍであり、収納するトレーディングカードや運転免許証もクレジットカードサイズと同一のサイズであるため、カードケース1の内部に収納可能である。
【００１４】
又、透明窓5は方形状で正面の右端近傍で上下略中央の位置に形成されている。そして、本実施例における透明窓5の寸法は、縦２９ｍｍ、横２３．５ｍｍであり、右端から７ｍｍ、下端から１０ｍｍの位置に形成されている。この透明窓5の位置は、運転免許証をカードケース1の内部に収納した場合、運転免許証に印刷された顔写真が位置する場所である。
【００１５】
又、カードケース1に印刷されている画像は、トレーディングカードに描かれたキャラクター又は写真等と統一性を持った画や文字の画像が描かれているものであり、例えば、トレーディングカードにアニメーションのキャラクター等が描かれている場合は、カードケース1の裏面には、図１（ｂ）に示すように、アニメーションのロゴや団体の証明書等の画の画像が描かれ、正面には図１（ａ）に示すように、トレーディングカードに描かれたキャラクターのプロフィールや所属する団体名等の文字の画像が描かれているものである。
【００１６】
そして、本実施例のカードケース1は、図２に示すように、トレーディングカードや運転免許証等を開口6から内部に収納して用いるものであり、上述したようなアニメーションのキャラクターが描かれているトレーディングカードをカードケースに収納した場合には、カードケース1に形成された透明窓5の直下にトレーディングカードに描かれたキャラクターの顔が位置し、カードケース1の表裏に描かれた画や文字の画像とキャラクターの顔とで、このカードケース1は、まるでキャラクターのプロフィールカード、アニメーションの中での団体証明書、又はアニメーションの中で登場する機械やロボットの操縦ライセンスカードのような外観となるものである。
【００１７】
又、トレーディングカードを取り出して、代わりに遊戯者の免許証を収納した場合には、透明窓5の直下に免許証の自分の顔写真が位置し、運転免許証の顔写真以外の文字等は非透光性のインクによって隠されるため、カードケース1の表面に描かれた文字により、まるで遊戯者自身がアニメーションの登場人物のような外観となり、遊戯者自身がアニメーションのキャラクターになったような疑似体験を楽しむことができるものである。
【００１８】
そして、このトレーディングカードとカードケース1を複数個収集することにより、トレーディングカードだけを集める場合と比較して、トレーディングカードの高級感が増すこととなり、トレーディングカードの収集家の収集意欲を高めることができるものである。
【００１９】
又、トレーディングカードに自動車レースの有名なレーサーの写真が描かれている場合には、当該有名なレーサーの乗っている車がカードケース1の裏面に描かれ、カードケース1の正面にはレーサーライセンスといった文字やライセンスの種別を表す文字が描かれおり、カードケース1にトレーディングカードを収納した場合には、正面の透明窓5の直下に、トレーディングカードに描かれたレーサーの顔写真が位置し、カードケース1に描かれた画や文字の画像と顔写真とで、まるで当該レーサーのレーサーライセンスカードであるかのような外観となるものである。
【００２０】
そして、トレーディングカードを取り出して遊戯者の運転免許証を収納した場合には、透明窓5の直下に運転免許証の顔写真が位置し、運転免許証の顔写真以外の文字等は非透光性のインクによって隠されるため、カードケース1の表面に描かれた文字により、遊戯者の運転免許証がレーサーライセンスに変化したような外観となり、まるで遊戯者自身が自動車レースのレーサーであるような疑似体験を楽しむことができるものである。
【００２１】
更に、このカードケース1に某ライセンスといった文字を描き、遊戯者の運転免許証をカードケース1に収納することにより、カードケース1に描かれた某の疑似ライセンスを取得できるものである。つまり、カードケース1に医者や弁護士等の有名な職業の証明書に似せた文字等の画像が描かれていれば、遊戯者の運転免許証をカードケース1に収納することで当該職業に就いているような疑似体験ができるものである。
【００２２】
本考案によれば、このようにカードケース1に画像と透明窓5を形成することにより、トレーディングカードを収集するだけでなく、カードケース1を収集する楽しさがあり、又、自分の運転免許証を収納することで様々な疑似ライセンスを取得できるので、運転免許証を保護するだけでなく、運転免許証を収納することで楽しむことができ、トレーディングカードと切り離して実用的に用いることができるものである。
【００２３】
又、トレーディングカードを収納した場合においても、カードケース1がトレーディングカードに描かれたもののプロフィールカード或いはライセンスカードのような役目を果たし、トレーディングカードの高級感が増し、収集する楽しさが倍増するものである。
【００２４】
尚、トレーディングカードの他に収納するものとして運転免許証を述べているが、写真付きの社員証や会員証、又、運転免許証を持っていない子供等は顔写真を収納することで同様の楽しみを味わうことができるものである。
そして、このカードケース1をトレーディングカードと一緒に販売することで、需要者の収集意欲を高めることができるものである。
【図面の簡単な説明】
【００２５】
【図１】本考案の実施例に係るカードケースの正面及び裏面図。
【図２】本考案の実施例に係るカードケースにカードを収納する図。
【図３】本考案の実施例に係るカードケースに運転免許証を収納した図。
【符号の説明】
【００２６】
1  カードケース
2  シート
5  透明窓
6  開口
7  縁部
【図１】
0003129308.tif 000003
【図２】
0003129308.tif 000004
【図３】
0003129308.tif 000005